(57)【要約】【課題】運搬時や記録媒体の排出時等における使用態様を容易に変更することができる記録媒体の受け装置及びその受け装置を備えたプリンタを提供すること。【解決手段】柔軟性を有するシート部材４４０と、任意の位置に配置可能であって、前記シート部材の端部を係止可能な複数のフック部材４１０、４２０、４３０とを有し、前記各フック部材の配置形態、前記シート部材の係止形態及び前記シート部材自体の形態を変化させることにより使用態様を変更する。これにより、フック部材を所望の位置に配置してシート部材の端部を所望のフック部材に掛け、そのシート部材を折り畳み、折り曲げ、あるいは伸ばして所望の記録媒体の受け部を形成すことができるので、例えば運搬作業や所定のサイズの記録媒体の取り出し作業を容易に行うことができるようになる。【選択図】図２２
2009242111.tif 000002
【特許請求の範囲】
【請求項１】
排出される記録媒体を受ける受け装置において、
柔軟性を有するシート部材と、
任意の位置に配置可能であって、前記シート部材の端部を係止可能な複数の係止部材と
を有し、
前記各係止部材の配置形態、前記シート部材の係止形態及び前記シート部材自体の形態
を変化させることにより使用態様を変更することが可能なことを特徴とする受け装置。
【請求項２】
前記シート部材は、矩形状に形成され、両端部及びその中間部が複数のシャフトにそれ
ぞれ沿って係留されており、
前記係止部材は、前記各シャフトの端部を係止可能であることを特徴とする請求項１に
記載の受け装置。
【請求項３】
前記係止部材は、係止している前記各シャフトの軸が平行となるように配設されている
ことを特徴とする請求項２に記載の受け装置。
【請求項４】
記録媒体の供給部、記録部、排出部、脚部がこの順で上部から配設されており、供給さ
れ記録され排出される記録媒体を受ける受け装置を備えたプリンタにおいて、
矩形状に形成され、両端部及びその中間部が複数のシャフトにそれぞれ沿って係留され
た柔軟性を有するシート部材と、
前記脚部に取り付けられて任意の位置に配置可能であって、前記各シャフトの端部を係
止可能な複数の係止部材とを有する受け装置であって、
前記各係止部材の配置形態、前記各シャフトの係止形態及び前記シート部材自体の形態
を変化させることにより使用態様を変更することが可能な受け装置を備えたことを特徴と
するプリンタ。
【請求項５】
前記係止部材は、係止している前記各シャフトの軸が平行となるように配設されている
ことを特徴とする請求項４に記載の受け装置を備えたプリンタ。
【発明の詳細な説明】
【技術分野】
【０００１】
本発明は、排出される記録媒体を受ける受け装置及びその受け装置を備えたプリンタに
関する。
【背景技術】
【０００２】
プリンタには、比較的大型のサイズの記録媒体、例えばＪＩＳ規格のＡ１判やＪＩＳ規
格のＢ１判の幅の印刷用のロール紙に印刷できる大型のプリンタがある。このような大型
のプリンタの場合、印刷が完了したロール紙は、通常はプリンタ本体の下方に配設された
排紙受け装置により受け取られるようになっている。この排紙受け装置は、比較的短い長
さで切断されるロール紙の場合は積み重ねが可能であるのでプリンタの後方側にて受け取
り、比較的長い長さで切断されるロール紙の場合は即座に取り出せるようにプリンタの前
方側にて受け取るように構成されている。
【発明の概要】
【発明が解決しようとする課題】
【０００３】
上述した従来の排紙受け装置は、比較的大型のサイズのロール紙に対応するため、プリ
ンタ本体の前後に飛び出た形で配設されている。このため、プリンタを移動させる際に邪
魔になるので、プリンタ運搬時には排紙受け装置をプリンタから取り外す必要があり、手
間が掛かっている。また、本来であれば積み重ねが可能であるので後方側にて受け取るべ
きサイズのロール紙、例えばＢ１縦以上Ｂ０ノビサイズ以下のロール紙は、排紙受け装置
の後方側に余裕がないために前方側で受け取っており、印刷枚数が多くなると取り出しに
手間が掛かるようになる。
【０００４】
本発明は、上記のような種々の課題に鑑みなされたものであり、その目的は、運搬時や
記録媒体の排出時等における使用態様を容易に変更することができる記録媒体の受け装置
及びその受け装置を備えたプリンタを提供することにある。
【課題を解決するための手段】
【０００５】
上記目的達成のため、本発明の請求項１に係る受け装置では、排出される記録媒体を受
ける受け装置において、柔軟性を有するシート部材と、任意の位置に配置可能であって、
前記シート部材の端部を係止可能な複数の係止部材とを有し、前記各係止部材の配置形態
、前記シート部材の係止形態及び前記シート部材自体の形態を変化させることにより使用
態様を変更することが可能なことを特徴としている。
【０００６】
これにより、係止部材を所望の位置に配置してシート部材の端部を所望の係止部材に掛
け、そのシート部材を折り畳み、折り曲げ、あるいは伸ばして所望の記録媒体の受け部を
形成すことができるので、例えば運搬作業や所定のサイズの記録媒体の取り出し作業を容
易に行うことができるようになる。
【０００７】
請求項２に係る発明では、請求項１に記載の受け装置において、前記シート部材は、矩
形状に形成され、両端部及びその中間部が複数のシャフトにそれぞれ沿って係留されてお
り、前記係止部材は、前記各シャフトの端部を係止可能であることを特徴としている。こ
れにより、記録媒体の受け部を所望の形状に形成するときは、シャフトを持って係止部材
に掛けるのみで良く、使用態様の変更作業を簡易に行うことができる。
【０００８】
請求項３に係る発明では、請求項２に記載の受け装置において、前記係止部材は、係止
している前記各シャフトの軸が平行となるように配設されていることを特徴としている。
これにより、記録媒体に皺等を付けずに受けることができる受け部の形状にすることがで
き、記録媒体の品質を高品質に維持することができる。
【０００９】
上記目的達成のため、本発明の請求項４に係るプリンタでは、記録媒体の供給部、記録
部、排出部、脚部がこの順で上部から配設されており、供給され記録され排出される記録
媒体を受ける受け装置を備えたプリンタにおいて、矩形状に形成され、両端部及びその中
間部が複数のシャフトにそれぞれ沿って係留された柔軟性を有するシート部材と、前記脚
部に取り付けられて任意の位置に配置可能であって、前記各シャフトの端部を係止可能な
複数の係止部材とを有する受け装置であって、前記各係止部材の配置形態、前記各シャフ
トの係止形態及び前記シート部材自体の形態を変化させることにより使用態様を変更する
ことが可能な受け装置を備えたことを特徴としている。
【００１０】
これにより、係止部材を所望の位置に配置してシャフトを持って所望の係止部材に掛け
、シート部材を折り畳み、折り曲げ、あるいは伸ばして所望の記録媒体の受け部を形成す
ことができるので、使用態様の変更作業を簡易に行うことができ、さらに、例えばプリン
タの運搬作業のときに邪魔になることはなく、また所定のサイズの記録媒体の取り出し作
業をプリンタの前面側から容易に行うことができるようになる。
【００１１】
請求項５に係る発明では、請求項４に記載の受け装置を備えたプリンタにおいて、前記
係止部材は、係止している前記各シャフトの軸が平行となるように配設されていることを
特徴としている。これにより、記録媒体に皺等を付けずに受けることができる受け部の形
状にすることができ、記録媒体の品質を高品質に維持することができる。
【図面の簡単な説明】
【００１２】
【図１】本発明の実施の形態に係るプリンタの構成例を示す斜視図である。
【図２】図１のプリンタの主要部の内部構成例を示す斜視図である。
【図３】図１のプリンタの使用手順を示す第１の図である。
【図４】図１のプリンタの使用手順を示す第２の図である。
【図５】図１のプリンタの使用手順を示す第３の図である。
【図６】図１のプリンタの使用手順を示す第４の図である。
【図７】図１のプリンタの使用手順を示す第５の図である。
【図８】図１のプリンタの使用手順を示す第６の図である。
【図９】図１のプリンタの使用手順を示す第７の図である。
【図１０】図１のプリンタの使用手順を示す第８の図である。
【図１１】本発明の特徴的な部分である記録媒体の受け装置の概略を示す第１の斜視図である。
【図１２】本発明の特徴的な部分である記録媒体の受け装置の概略を示す第２の斜視図である。
【図１３】図１１の受け装置の前部上フック（前部下フック）の詳細を示す三面図である。
【図１４】図１１の受け装置のフックホルダの詳細を示す斜視図である。
【図１５】図１３及び図１４の前部上フック部材の動作を示す側面図である。
【図１６】図１１の受け装置の別のフックホルダの詳細を示す斜視図である。
【図１７】図１３及び図１６の前部下フック部材の動作を示す側面図である。
【図１８】図１１及び図１２の受け装置のモードを変更する際の使用者の動作を説明するための第１の図である。
【図１９】図１１及び図１２の受け装置のモードを変更する際の使用者の動作を説明するための第２の図である。
【図２０】図１１及び図１２の受け装置のモードを変更する際の使用者の動作を説明するための第３の図である。
【図２１】図１１及び図１２の受け装置のモードを変更する際の使用者の動作を説明するための第４の図である。
【図２２】図１１及び図１２の受け装置のモードを変更する際の使用者の動作を説明するための第５の図である。
【図２３】図１１及び図１２の受け装置のモードを変更する際の使用者の動作を説明するための第６の図である。
【図２４】図１１及び図１２の受け装置のモードを変更する際の使用者の動作を説明するための第７の図である。
【図２５】図１１及び図１２の受け装置のモードを変更する際の使用者の動作を説明するための第８の図である。
【図２６】図１１及び図１２の受け装置のモードを変更する際の使用者の動作を説明するための第９の図である。
【図２７】図１１及び図１２の受け装置のモードを変更する際の使用者の動作を説明するための第１０の図である。
【図２８】図１１及び図１２の受け装置のモードを変更する際の使用者の動作を説明するための第１１の図である。
【図２９】図１１及び図１２の受け装置のモードを変更する際の使用者の動作を説明するための第１２の図である。
【図３０】図１１及び図１２の受け装置のモードを変更する際の使用者の動作を説明するための第１３の図である。
【図３１】図１１及び図１２の受け装置のモードを変更する際の使用者の動作を説明するための第１４の図である。
【図３２】図１１及び図１２の受け装置のモードを変更する際の使用者の動作を説明するための第１５の図である。
【図３３】図１１及び図１２の受け装置のモードを変更する際の使用者の動作を説明するための第１６の図である。
【発明を実施するための形態】
【００１３】
以下、図面に基づいて本発明の実施の形態について詳細に説明する。
【００１４】
図１は、本発明の実施の形態に係るプリンタの構成例を示す斜視図であり、図２は、そ
のプリンタの主要部の内部構成例を示す斜視図である。図１及び図２に示すプリンタ１０
０は、例えばＪＩＳ規格のＡ１判やＪＩＳ規格のＢ１判といった比較的大型のサイズの印
刷用紙にまで印刷できる大型のインクジェット式プリンタであり、給紙部１１０、印刷部
１２０、排紙部１３０、脚部１４０がこの順で上部から配設された構成となっている。給
紙部１１０は一体化された印刷部１２０と排紙部１３０に対して分離可能に構成されてお
り、これらはプリンタ本体として構成されている。そして、このプリンタ本体は脚部１４
０に対して分離可能に構成されている。
【００１５】
給紙部１１０は、図１に示すように、印刷部１２０の上部後方に突き出るように設けら
れている。そして、給紙部１１０の内部には、図２に示すように、２本のロール紙（印刷
用紙）がセット可能なロール紙ホルダ１１１が斜め上下に設けられ、給紙部１１０の前面
には、図１及び図２に示すように、跳ね上げ式の開閉可能なロール紙カバー１１２がロー
ル紙ホルダ１１１を覆うように取り付けられている。
【００１６】
ロール紙ホルダ１１１は、図２に示すように、ロール紙を保持するスピンドル１１３と
、給紙部１１０の両側壁内面に取り付けられて、スピンドル１１３の着脱及び懸架が可能
な一対のスピンドル受け１１４、１１５を備えている。そして、スピンドル１１３は、中
央にロール紙が装着された後、両端がスピンドル受け１１４、１１５に装着され、回転可
能に軸支持されるようになっている。ロール紙カバー１１２は、図１及び図２に示すよう
に、上部が回動可能に支持されており、下部を持って持ち上げ、あるいは押し下げること
により開閉するようになっている。
【００１７】
印刷部１２０は、図２に示すように、プリントヘッド１２１を搭載したキャリッジ１２
２、プリントヘッド１２１と印刷を実行する為の図示しない制御部とを接続するフレキシ
ブルフラットケーブル（以下、ＦＦＣという）１２３、プリントヘッド１２１とインクが
入った図示しないインクカートリッジとをつなぐインクチューブ１２４、ロール紙を副走
査方向に搬送する図示しない紙送りローラ、ロール紙の浮き上がりを防止する図示しない
紙吸引手段等を備えている。そして、印刷部１２０の上面及び前面には、図１及び図２に
示すように、上蓋１２５及び前蓋１２６がプリントヘッド１２１やキャリッジ１２２等を
覆うように取り付けられている。
【００１８】
プリントヘッド１２１は、ブラックインクを吐出するブラックインク用プリントへッド
と、イエロー、ライトシアン、シアン、ライトマゼンタ、マゼンタ等の各色のインクを吐
出する複数のカラーインク用プリントヘッドとを備えている。そして、プリントヘッド１
２１は、圧力発生室とそれに繋がるノズル開口が設けられており、圧力発生室内にインク
を貯留して所定圧で加圧することにより、ノズル開口からロール紙に向けてコントロール
された大きさのインク滴を吐出するようになっている。
【００１９】
キャリッジ１２２は、図２に示すように、主走査方向に設けられているレール１２７に
コロを介して吊り下げられ、キャリッジベルト１２８に連結されており、図示しないキャ
リッジ駆動装置によってキャリッジベルト１２８が作動すると、キャリッジベルト１２８
の動きに連行され、レール１２７に案内されて往復移動するようになっている。
【００２０】
ＦＦＣ１２３は、一端が制御部のコネクタに接続され、他端がプリントヘッド１２１の
コネクタに接続されており、印刷信号を制御部からプリントヘッド１２１に送るようにな
っている。インクチューブ１２４は、各色のインク用が配設されており、図示しないイン
ク加圧供給手段を介して各一端が対応する各色のインクカートリッジにつながれ、各他端
が対応する各色のプリントヘッド１２１につながれている。
【００２１】
そして、インクチューブ１２４は、インク加圧供給手段によって加圧された各色のイン
クをインクカートリッジからプリントヘッド１２１に送るようになっている。前蓋１２６
は、図１及び図２に示すように、下部が回動可能に支持されており、上部を持って押し下
げ、あるいは押し上げることにより開閉するようになっている。
【００２２】
排紙部１３０は、図１及び図２に示すように、ロール紙を副走査方向に搬送する経路の
一部を成す排紙ガイド１３１と、ロール紙を副走査方向に搬送する図示しない排紙ローラ
を備えている。また、排紙部１３０の前面側から見て右側には、図１及び図２に示すよう
に、インクカートリッジを収納保持するカートリッジホルダ１５０が配設されている。
【００２３】
脚部１４０は、図１及び図２に示すように、移動用のコロ１４１を有する２本の支持柱
１４２と、これらの支持柱１４２の間に掛け渡されている補強棒（支持柱）１４３を備え
ている。そして、支持柱１４２の上部にプリンタ本体１１０、１２０、１３０が載置され
ネジ止め固定されるようになっている。
【００２４】
このような構成において、インクジェット式プリンタ１００を使用する場合は、先ず、
給紙部１１０からロール紙ホルダ１１１を構成するスピンドル１１３を取り出し、図３に
示すように、スピンドル１１３に挿入されているロール紙押さえ１１３ａをスピンドル１
１３の一端から引き抜く。
【００２５】
そして、図４に示すように、スピンドル１１３の一端をロール紙Ｒの軸穴Ｃの一端から
挿入して貫通させ、図５に示すように、ロール紙Ｒの軸穴Ｃの一端をスピンドル１１３の
他端側に挿入固定されているロール紙押さえ１１３ｂにはめ込んで当接させる。続いて、
ロール紙押さえ１１３ａをスピンドル１１３の一端から挿入して、ロール紙Ｒの軸穴Ｃの
他端にはめ込む。これにより、ロール紙Ｒはスピンドル１１３と共に回転可能となる。
【００２６】
次に、図６に示すように、ロール紙Ｒが挿入されたスピンドル１１３の両端を持ってイ
ンクジェット式プリンタ１００の前後方向に対して斜めに向けた状態、すなわちロール紙
Ｒが挿入されたスピンドル１１３の他端側を一方のスピンドル受け１１４に向けた状態に
する。
【００２７】
ここで、このスピンドル受け１１４は水平方向に回転可能に構成されており、通常はス
ピンドル１１３の端部を受ける各スピンドル受け１１４、１１５の窪み１１４ａ、１１５
ａは対向させておくが、ロール紙Ｒが挿入されたスピンドル１１３をセットするときは、
図７に示すように、一方のスピンドル受け１１４を回転させて他方のスピンドル受け１１
５に対して約４５度の角度を付けておく。
【００２８】
その後、ロール紙Ｒが挿入されたスピンドル１１３の他端部を一方のスピンドル受け１
１４の窪み１１４ａに掛け、ロール紙Ｒが挿入されたスピンドル１１３と共にそのスピン
ドル受け１１４を回転させる。そして、各スピンドル受け１１４、１１５の窪み１１４ａ
、１１５ａを対向させて、ロール紙Ｒが挿入されたスピンドル１１３の一端部を他方のス
ピンドル受け１１５の窪み１１５ａに掛ける。これにより、ロール紙Ｒが挿入されたスピ
ンドル１１３を給紙部１１０に容易にセットすることができる。
【００２９】
次に、図８に示すように、ロール紙Ｒの先端を下方に引き出して印刷部１２０の搬送経
路を通し、さらに図９に示すように、排紙部１３０の搬送経路まで通す。そして、図１０
に示すように、ロール紙Ｒを巻き取り方向に回転させてロール紙Ｒの先端を例えば排紙ガ
イド１３１に形成されているマーカＭに位置決めする。その後、インクジェット式プリン
タ１００を起動して、ロール紙Ｒを副走査方向に給紙しつつプリントヘッド１２１を主走
査方向に移動させながらインク滴を吐出させ、ロール紙Ｒに所定の情報を印刷して排紙す
る。
【００３０】
図１１及び図１２は、本発明の特徴的な部分である記録媒体の受け装置の概略を示す斜
視図である。この受け装置４００は、図１１に示す脚部１４０の各支持柱１４２の後部に
配設された一対の後部フック部材４１０、各支持柱１４２の前部の上部に配設された前部
上フック部材４２０及び各支持柱１４２の前部の下部に配設された前部下フック部材４３
０と、図１２に示す別体とされているシート部材４４０を備えている。各フック部材４１
０、４２０、４３０は、脚部１４０の中心線に対して対称となるように配設されている。
【００３１】
各後部フック部材４１０は、図２１にも示すように、ピン状に形成されて各支持柱１４
２の後部上面にそれぞれ立設されている。各前部上フック部材４２０は、前部上フック４
２１と、この前部上フック４２１を保持するフックホルダ４２５（図１４参照）が各支持
柱１４２の前部の上部に対向するようにそれぞれ配設されている。各前部下フック部材４
３０も、前部下フック４３１と、この前部下フック４３１を保持するフックホルダ４３５
が各支持柱１４２の前部の下部に対向するようにそれぞれ配設されている。なお、前部上
フック４２１と前部下フック４３１は、長さが異なるのみで他の構成は同一である。
【００３２】
図１３（Ａ）、（Ｂ）、（Ｃ）は、前部上フック４２１（前部下フック４３１）の詳細
を示す三面図である。この前部上フック４２１（前部下フック４３１）は、ステンレス等
の金属で成る棒材４２２（４３２）の先端がＵ字状に曲げられており、後端にプラスチッ
クで成る保持材４２３（４３３）がはめ込まれた構成となっている。この保持材４２３（
４３３）には、後で詳述する案内部４２３ａ（４３３ａ）及び係止部４２３ｂ（４３３ｂ
）が突出形成されている。
【００３３】
図１４は、フックホルダ４２５の詳細を示す斜視図である。このフックホルダ４２５は
、第１のフックホルダ４２６と第２のフックホルダ４２７を備えている。第１のフックホ
ルダ４２６には、上記保持材４２３の案内部４２３ａが挿入可能な一端側から他端側に貫
通した第１の溝部４２６ａと、この第１の溝部４２６ａ内に形成され、上記棒材４２２が
スライド可能にはめ込まれる第２の溝部４２６ｂが形成されている。
【００３４】
第２のフックホルダ４２７には、上記保持材４２３の案内部４２３ａが挿入可能な一端
が閉じた溝部４２７ａと、この溝部４２７ａの閉じた端部内に形成され、上記保持材４２
３の係止部４２３ｂが着脱される凹部４２７ｂが形成されている。そして、第１のフック
ホルダ４２６と第２のフックホルダ４２７は、第１の溝部４２６ａと溝部４２７ａが間隔
をあけて連なるように配設されている。
【００３５】
このような構成において、各前部上フック部材４２０の前部上フック４２１は、図１１
に示すように、図示矢印ａ方向、すなわちインクジェット式プリンタ１００の前面方向に
引き出し・背面方向に押し込み可能になっている。すなわち、前部上フック４２１がイン
クジェット式プリンタ１００の前面側にて完全に引き出されているときは、図１５（Ａ）
に示すように、棒材４２２は第１のフックホルダ４２６の第２の溝部４２６ｂに沿って後
端方向へスライドし、保持材４２３の案内部４２３ａが第１のフックホルダ４２６の第１
の溝部４２６ａ内にはまり込んでいる。これにより、前部上フック４２１は位置決め固定
されるようになっている。
【００３６】
一方、前部上フック４２１がインクジェット式プリンタ１００の前面側にて完全に押し
込まれているときは、図１５（Ｂ）に示すように、棒材４２２は第１のフックホルダ４２
６の第２の溝部４２６ｂに沿って先端方向へスライドし、保持材４２３の案内部４２３ａ
が第２のフックホルダ４２６の溝部４２７ａに沿って閉じた端部側にスライドして、保持
材４２３の係止部４２３ｂが凹部４２７ｂ内にはまり込んでいる。これにより、前部上フ
ック４２１は位置決め固定されるようになっている。
【００３７】
図１６は、フックホルダ４３５の詳細を示す斜視図である。このフックホルダ４３５に
は、一端側から他端側に貫通した第１の溝部４３５ａが形成されている。この第１の溝部
４３５ａは、インクジェット式プリンタ１００の背面側の一端面から所定距離までは上記
保持材４２３の案内部４２３ａが挿入可能な溝幅に形成されており、そこで溝上面に段差
が設けられて溝幅が一旦、広げられ、そこからインクジェット式プリンタ１００の前面側
の他端面に向けて溝幅が徐除に広がるように形成されている。そして、この第１の溝部４
３５ａ内に揺動可能に形成され、上記棒材４２２がスライド可能にはめ込まれる第２の溝
部４３５ｂが形成されている。
【００３８】
このような構成において、各前部下フック部材４３０の前部下フック４３１は、図１１
に示すように、図示矢印ｂ方向、すなわちインクジェット式プリンタ１００の前面方向に
引き出し・背面方向に押し込み可能になっている。すなわち、前部下フック４３１がイン
クジェット式プリンタ１００の前面側にて完全に引き出されているときは、図１７（Ａ）
に示すように、棒材４３２はフックホルダ４３５の第２の溝部４３５ｂに沿って後端方向
へスライドし、保持材４３３の案内部４３３ａがフックホルダ４３５の第１の溝部４３５
ａの一端側を通って第２の溝部４３５ｂの一端まで達して、棒材４３２の自重により第２
の溝部４３５ｂが下方へ旋回し、保持材４３３の係止部４２３ｂが第１の溝部４３５ａ内
の段差に突き当てられている。これにより、前部下フック４３１は位置決め固定されるよ
うになっている。
【００３９】
一方、前部下フック４３１がインクジェット式プリンタ１００の前面側に完全に押し込
まれているときは、図１７（Ｂ）に示すように、棒材４３２は、フックホルダ４３５の第
２の溝部４３５ｂに沿って先端方向へスライドして第１の溝部４３５ａの一端側から突き
出されていると共に、第１の溝部４３５ａの一端側の溝上面に当接されている。これによ
り、前部下フック４３１は位置決め固定されるようになっている。
【００４０】
シート部材４４０は、図１２に示すように、布もしくは軟質プラスチックシートで矩形
状に形成されており、両端部、その中間部、さらに中間部と一端部の中間部は４本のシャ
フト４４１、４４２、４４３、４４４にそれぞれ沿って係留されている。そして、各シャ
フト４４１、４４２、４４３、４４４の端部が、後部フック４１０、前部上フック４２１
、前部下フック４３１に係止されるようになっている。通常、各シャフト４４１、４４２
、４４３、４４４は、それぞれ平行となるように各フック４１０、４２１、４３１に係止
される。
【００４１】
以上のような構成の受け装置４００は、前部上フック部材４２０の前部上フック４２１
及び前部下フック部材４３０の前部下フック４３１の配置形態、シート部材４４０の各シ
ャフト４４１、４４２、４４３、４４４の係止形態及びシート部材４４０自体の形態を変
化させることにより使用態様を変更することが可能となっている。
【００４２】
すなわち、前部上フック４２１及び前部下フック４３１を所望の位置に配置して任意の
シャフト４４１、４４２、４４３、４４４を持って所望の前部上フック４２１あるいは前
部下フック４３１に掛け、シート部材４４０を折り畳み、折り曲げ、あるいは伸ばすこと
により、本実施形態では４つのモード、すなわち運搬モード、第１後方排紙（ＪＩＳ規格
のＢ０サイズ未満）モード、第２後方排紙（ＪＩＳ規格のＢ０サイズ以上）モード、前方
排紙（長尺紙、厚紙）モードを選択形成すことができる。
【００４３】
このようなモードを変更する際の使用者の動作を図１８〜図３３を参照して説明する。
先ず、図１８に示すように、各前部上フック部材４２０の前部上フック４２１をインクジ
ェット式プリンタ１００の背面方向に完全に押し込み、続いて、図１９に示すように、各
前部下フック部材４３０の前部下フック４３１をインクジェット式プリンタ１００の背面
方向に完全に押し込み、さらに、図２０に示すように、各後部フック部材４１０を脚部１
４０に垂直に差し込む。
【００４４】
次に、図２１に示すように、シート部材４４０を一端部のシャフト４４２がインクジェ
ット式プリンタ１００の背面側に位置するように脚部１４０の下方に広げて、シャフト４
４２の両端部を各後部フック部材４１０に差し込んで固定する。そして、図２２に示すよ
うに、各前部上フック４２１をインクジェット式プリンタ１００の前面方向に完全に引き
出し、図２３に示すように、シャフト４４３の両端部を各前部上フック４２１のＵ字状先
端部に掛け、シャフト４４１の両端部を各前部下フック４３１のＵ字状先端部に掛ける。
【００４５】
これにより、図２４に示すように、シート部材４４０の一部はインクジェット式プリン
タ１００の前面側に垂れ落ちた状態になる。続いて、図２５に示すように、シャフト４４
３を図示矢印ａ方向に回転させて垂れ落ちているシート部材４４０の一部をシャフト４４
３周りに巻き取る。ここで、シャフト４４３は、図２５に示すように、所定間隔をあけて
平行に配置された２本のシャフト４４３ａ、４４３ｂを備えている。一方のシャフト４４
３ａの両端は接続部材４４３ｃに固定され、他方のシャフト４４３ｂの両端は接続部材４
４３ｃに貫通されて、先端に抜け防止キャップ４４３ｄが取り付けられている。
【００４６】
このような構成のシャフト４４３は、シャフト４４３ｂの両端部が各前部上フック４２
１のＵ字状先端部に掛けられ、シャフト４４３ｂと共にシャフト４４３ａが図示矢印ａ方
向に回転される。したがって、１本のシャフトのみを回転させる場合と比べて幅広の２本
のシャフト４４３ａ、４４３ｂを回転させる方が容易となり、垂れ落ちているシート部材
４４０の一部をシャフト４４３ｂとシャフト４４３ａの周りに容易に巻き取ることができ
る。さらに、１本のシャフトのみを回転させる場合はシート部材４４０の巻き取りがずれ
るおそれがあるが、２本のシャフト４４３ａ、４４３ｂの場合は一方のシャフト４４３ａ
側に偏って巻き取られるために、その自重により巻き取りのずれを防止することができる
。
【００４７】
最後に、図２６に示すように、各前部上フック４２１をインクジェット式プリンタ１０
０の背面方向に完全に押し込む。以上により、各前部上フック部材４２０と各前部下フッ
ク部材４３０とシート部材４４０は、プリンタ本体１２０、１３０と脚部１４０の間に完
全に収納された状態になり、運搬モードとすることができる。
【００４８】
一方、図２４に示すように、シート部材４４０の一部がインクジェット式プリンタ１０
０の前面側に垂れ落ちた状態になったら、図２７に示すように、シャフト４４４の両端部
を各前部上フック４２１のＵ字状先端部に掛ける。これにより、図２８に示すように、各
前部上フック４２１はインクジェット式プリンタ１００の前面方向に完全に引き出された
状態になっているので、図２８及び図２９に示すように、シャフト４４４と排紙部１３０
との間には隙間が生じ、かつシート部材４４０は後下方に向かって傾斜している。したが
って、図２９に示すように、排紙部１３０から排出されるＪＩＳ規格のＢ０サイズ未満の
ロール紙Ｒ１を後方で受ける第１後方排紙モードとすることができる。
【００４９】
一方、図２４に示すように、シート部材４４０の一部がインクジェット式プリンタ１０
０の前面側に垂れ落ちた状態になったら、図３０に示すように、各前部下フック４３１を
インクジェット式プリンタ１００の前面方向に完全に引き出す。これにより、図３０及び
図３１に示すように、各前部上フック４２１はインクジェット式プリンタ１００の前面方
向に完全に引き出された状態になっており、さらにインクジェット式プリンタ１００の前
面側に垂れ落ちていたシート部材４４０の一部は若干の弛みを持って引き延ばされている
ので、シャフト４４４と排紙部１３０との間には隙間が生じ、かつシート部材４４０は後
下方に向かって傾斜していると共に前下方に向かって傾斜した山形になっている。したが
って、図３１に示すように、排紙部１３０から排出されるＪＩＳ規格のＢ０サイズ以上の
ロール紙Ｒ２の先端部を後方で受けた後にそのロール紙Ｒ２の後端部を前方で受ける第２
後方排紙モードとすることができる。
【００５０】
一方、図２４に示すように、シート部材４４０の一部がインクジェット式プリンタ１０
０の前面側に垂れ落ちた状態になったら、図３０に示すように、各前部下フック４３１を
インクジェット式プリンタ１００の前面方向に完全に引き出し、図３２に示すように、各
前部上フック４２１をインクジェット式プリンタ１００の背面方向に完全に押し込む。
【００５１】
これにより、図３２及び図３３に示すように、インクジェット式プリンタ１００の前面
側に垂れ落ちていたシート部材４４０の一部は完全に引き延ばされているので、シャフト
４４４と排紙部１３０との間には隙間は生じておらず、かつシート部材４４０は前下方に
向かって一直線に傾斜した状態になっている。したがって、図３３に示すように、排紙部
１３０から排出される長尺紙、厚紙ＲＲを前方で受ける前方排紙モードとすることができ
る。
【００５２】
なお、上述した実施形態では、受け装置４００をインクジェット式プリンタ１００に適
用した場合を説明したが、これに限られるものではなく、記録媒体を排出するその他の方
式のプリンタやファクシミリ等にも適用することができる。
【００５３】
以上説明したように、本発明に係る記録媒体の受け装置及びその受け装置を備えたプリ
ンタによれば、フック部材を所望の位置に配置してシャフトを持って所望のフック部材に
掛け、シート部材を折り畳み、折り曲げ、あるいは伸ばして所望の記録媒体の受け部を形
成すことができる。したがって、受け装置の使用態様の変更作業を簡易に行うことができ
、さらに、プリンタの運搬作業のときに邪魔になることはなく、また所定のサイズの記録
媒体の取り出し作業をプリンタの前面側から容易に行うことができるようになる。
【符号の説明】
【００５４】
１００…プリンタ、１１０…給紙部、１１１…ロール紙ホルダ、１１２…ロール紙カバ
ー、１１３…スピンドル、１１４…スピンドル受け、１１５…スピンドル受け、１２０…
印刷部、１２１…プリントヘッド、１２２…キャリッジ、１２３…ＦＦＣ、１２４…イン
クチューブ、１２５…上蓋、１２６…前蓋、１２７…レール、１２８…キャリッジベルト
、１３０…排紙部、１３１…排紙ガイド、１３２…サイドカバー、１４０…脚部、１４１
…コロ、１４２…支持柱、１４３…補強棒、１５０…カートリッジホルダ、４００…受け
装置、４１０…後部フック部材、４２０…前部上フック部材、４２１…前部上フック、４
２２…棒材、４２３…保持材、４２５…フックホルダ、４２６…第１のフックホルダ、４
２７…第２のフックホルダ、４３０…前部下フック部材、４３１…前部下フック、４３２
…棒材、４３３…保持材、４３５…フックホルダ、４４０…シート部材、４４１，４４２
，４４３，４４４…シャフト。
【図１】
2009242111.tif 000003
【図２】
2009242111.tif 000004
【図３】
2009242111.tif 000005
【図４】
2009242111.tif 000006
【図５】
2009242111.tif 000007
【図６】
2009242111.tif 000008
【図７】
2009242111.tif 000009
【図８】
2009242111.tif 000010
【図９】
2009242111.tif 000011
【図１０】
2009242111.tif 000012
【図１１】
2009242111.tif 000013
【図１２】
2009242111.tif 000014
【図１３】
2009242111.tif 000015
【図１４】
2009242111.tif 000016
【図１５】
2009242111.tif 000017
【図１６】
2009242111.tif 000018
【図１７】
2009242111.tif 000019
【図１８】
2009242111.tif 000020
【図１９】
2009242111.tif 000021
【図２０】
2009242111.tif 000022
【図２１】
2009242111.tif 000023
【図２２】
2009242111.tif 000024
【図２３】
2009242111.tif 000025
【図２４】
2009242111.tif 000026
【図２５】
2009242111.tif 000027
【図２６】
2009242111.tif 000028
【図２７】
2009242111.tif 000029
【図２８】
2009242111.tif 000030
【図２９】
2009242111.tif 000031
【図３０】
2009242111.tif 000032
【図３１】
2009242111.tif 000033
【図３２】
2009242111.tif 000034
【図３３】
2009242111.tif 000035
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
記録媒体の供給部、記録部、排出部、脚部がこの順で上部から配設されており、供給され記録され排出される記録媒体を受ける受け装置を備えたプリンタにおいて、
前記受け装置は、柔軟性を有するシート部材と、
任意の位置に配置可能であって、前記シート部材の端部を係止可能な複数の係止部材とを有し、
前記係止部材は、前記脚部の上部に配設された前部上フック部材、及び前記脚部の下部に配設された前部下フック部材とを備え、
前記前部上フックを保持するフックホルダが前部上フック部材に対向するよう前記脚部に配設され、
前部上フック部材は、棒材の先端に案内部及び係止部が突出形成され、前記プリンタの前面方向に引き出し・背面方向に押し込み可能になっており、
前記フックホルダは、第１のフックホルダと第２のフックホルダを備え、
前記第１のフックホルダには、前記案内部が挿入可能な一端側から他端側に貫通した第１の溝部と、前記第１の溝部内に形成され、前記棒材がスライド可能にはめ込まれる第２の溝部が形成され、
前記第２のフックホルダには、前記案内部が挿入可能な一端が閉じた第３の溝部と、前記第３の溝部の閉じた端部内に形成され、前記係止部が着脱される凹部が形成されており、
前記前部上フックがプリンタの前面側にて完全に引き出されているときは、
前記棒材は前記第２の溝部に沿って後端方向へスライドし、前記案内部が前記第１の溝部内にはまり込むことにより、前記前部上フックが位置決め固定され、
前記前部上フックがプリンタの前面側にて完全に押し込まれているときは、
前記棒材は前記第２の溝部に沿って先端方向へスライドし、前記案内部が前記第３の溝部に沿って閉じた端部側にスライドして、前記係止部が凹部内にはまり込むことにより、前記前部上フックが位置決め固定されることを特徴とするプリンタ。」